(57)【要約】【課題】被写体を撮影して表示可能な撮像装置において、消費電力量の増加や発熱量を抑えつつ、高画質なライブビュー表示を可能にすること。【解決手段】全体制御部５０とＥＶＦ表示ユニット１００は別ユニットとして構成され、ＥＶＦ２２に表示すべき画像データは全体制御部５０からＥＶＦ表示ユニット１００にデータ伝送される。全体制御部５０は、ＣＣＤ４１から得られる画像データに対して圧縮処理を施し、圧縮画像データＧ１２をＥＶＦ表示ユニット１００に対して送出する。ＥＶＦ表示ユニット１００は、全体制御部５０から入力する圧縮画像データＧ１２に対して伸長処理を施して画像表示を行う。【選択図】　　　　図９
2004104222.tif 000002
【特許請求の範囲】
【請求項１】
被写体を撮影して表示可能な撮像装置であって、
被写体を撮影して画像データを生成する撮像素子と、
前記撮像素子から得られる前記画像データに対して圧縮処理を施し、圧縮画像データを出力するデータ処理手段と、
前記データ処理手段から入力する前記圧縮画像データに対して伸長処理を施して画像表示を行う表示手段と、
を備える撮像装置。
【請求項２】
請求項１に記載の撮像装置において、
前記データ処理手段と前記表示手段とは別ユニットとして構成され、前記データ処理手段は、前記表示手段と電気的に接続される伝送手段を介して圧縮画像データを出力することを特徴とする撮像装置。
【請求項３】
請求項１又は２に記載の撮像装置において、
前記撮像素子は、縦方向及び横方向に複数の画素が配列され、前記表示手段に表示させるための表示用画像データを生成する際には、縦方向に画素間引きを行いつつ前記表示用画像データを生成するように構成され、
前記データ処理手段は、前記表示用画像データにおける横方向の画素配列に関して圧縮処理を施すことを特徴とする撮像装置。
【請求項４】
請求項１乃至３のいずれかに記載の撮像装置において、
前記表示手段は、面順次表示方式によってカラー画像の表示を行うことを特徴とする撮像装置。
【請求項５】
請求項１乃至４のいずれかに記載の撮像装置において、
前記データ処理手段は、前記撮像素子から得られる前記画像データの解像度を変化させる解像度変換手段を備え、
前記表示手段は、前記データ処理手段から入力する前記画像データの解像度が表示解像度と異なる解像度である場合に、前記画像データの解像度を前記表示解像度に適合させて画像表示を行うことを特徴とする撮像装置。
【発明の詳細な説明】
【０００１】
【発明の属する技術分野】
本発明は、デジタルカメラ等の撮像装置に関する。
【０００２】
【従来の技術】
従来、撮像中の処理タイミングを工夫することにより、リアルタイムな被写体像を表示するためのライブビュー表示が非表示になる時間を短縮し、デジタルカメラの操作性を向上させる技術が存在する（例えば、特許文献１参照。）。
【０００３】
ところで、近年は撮像素子の画素数が増加する一方、ライブビュー表示における表示画像の画質向上が要請されており、表示デバイスにおける表示画素数も増加する傾向にある。このため、ライブビュー表示を行うために表示デバイスに送出される表示用画像のデータ量は増加しつつある。
【０００４】
また、近年は処理デバイス（ＣＰＵ等）のデータ処理能力も向上しており、例えば処理デバイスの大規模化や内部クロックを上げることで、表示用画像のデータ量増加に対応することが可能である。
【０００５】
【特許文献１】
特開２００１−２３８１０６号公報
【０００６】
【発明が解決しようとする課題】
しかしながら、一般的なデジタルカメラ等のように、携帯機器としての撮像装置を考えた場合、消費電力を低減させ、かつ内部の発熱量を抑える必要があることから、表示用画像のデータ量増加に対して、処理デバイスの大規模化や内部クロックを上げることによって対処することが困難な場合がある。
【０００７】
また、ライブビュー表示を良好に行うために、処理デバイスから表示デバイスに対して大量の表示用画像を高速伝送する必要があるが、例えば処理デバイスと表示デバイスとがフレキシブル基板等の伝送路によって接続されている場合には、波形の折り返しひずみ等の問題が発生するため、高周波の画像信号を送信することができなくなる。
【０００８】
すなわち、処理デバイスの能力を向上させる技術や上記公報に開示される技術等を採用しても、ライブビュー表示において画質を向上させることは困難であった。
【０００９】
そこで本発明は、上記課題に鑑みてなされたものであり、消費電力量の増加や発熱量を抑えつつ、高画質なライブビュー表示を行うことのできる撮像装置を提供することを目的とする。
【００１０】
【課題を解決するための手段】
上記目的を達成するために、請求項１に記載の発明は、被写体を撮影して表示可能な撮像装置であって、被写体を撮影して画像データを生成する撮像素子と、前記撮像素子から得られる前記画像データに対して圧縮処理を施し、圧縮画像データを出力するデータ処理手段と、前記データ処理手段から入力する前記圧縮画像データに対して伸長処理を施して画像表示を行う表示手段と、を備えて構成される。
【００１１】
請求項２に記載の発明は、請求項１に記載の撮像装置において、前記データ処理手段と前記表示手段とは別ユニットとして構成され、前記データ処理手段が、前記表示手段と電気的に接続される伝送手段を介して圧縮画像データを出力するように構成される。
【００１２】
請求項３に記載の発明は、請求項１又は２に記載の撮像装置において、前記撮像素子は、縦方向及び横方向に複数の画素が配列され、前記表示手段に表示させるための表示用画像データを生成する際には、縦方向に画素間引きを行いつつ前記表示用画像データを生成するように構成され、前記データ処理手段は、前記表示用画像データにおける横方向の画素配列に関して圧縮処理を施すことを特徴としている。
【００１３】
請求項４に記載の発明は、請求項１乃至３のいずれかに記載の撮像装置において、前記表示手段は、面順次表示方式によってカラー画像の表示を行うことを特徴としている。
【００１４】
請求項５に記載の発明は、請求項１乃至４のいずれかに記載の撮像装置において、前記データ処理手段は、前記撮像素子から得られる前記画像データの解像度を変化させる解像度変換手段を備え、前記表示手段は、前記データ処理手段から入力する前記画像データの解像度が表示解像度と異なる解像度である場合に、前記画像データの解像度を前記表示解像度に適合させて画像表示を行うことを特徴としている。
【００１５】
【発明の実施の形態】
以下、図面を参照しつつ本発明の実施の形態について説明する。
【００１６】
＜１．第１の実施の形態＞
＜１−１．デジタルカメラの構成＞
図１乃至図３は、本発明の実施の形態に係るデジタルカメラ１の要部構成を示す図であり、図１乃至図３はそれぞれ正面図、上面図及び背面図に相当する。図１及び図２に示すように、デジタルカメラ１は主としてカメラ本体部２と撮影レンズ３とから構成されている。
【００１７】
撮影レンズ３は複数のレンズ群を含むズームレンズとして構成され、その周縁部に設けられるズームリング３１を回転させることにより撮影倍率（焦点距離）を変更することが可能とされている。撮影レンズ３にはマクロ切り替えレバー３２が設けられており、マクロ切り替えレバー３２をスライドさせることによりマクロ撮影が可能となる。また、デジタルカメラ１ではシャッター方式として機械式が採用されており、撮影レンズ３の内部の適位置にはメカニカルシャッター（図示省略）が設けられている。
【００１８】
図１に示すように、カメラ本体部２の前面には、左端部にグリップ部４、右方上部に内蔵フラッシュ５がそれぞれ設けられ、また、図２に示すように、グリップ部４の上面にはシャッタボタン１１が設けられている。シャッタボタン１１は銀塩カメラで採用されているような半押し状態（Ｓ１状態）と全押し状態（Ｓ２状態）とが検出可能な２段階スイッチとなっている。なお、シャッタボタン１１の半押し操作（Ｓ１状態への操作）は、ＡＦ（オートフォーカス）制御を開始するためのトリガとなり、全押し操作（Ｓ２状態への操作）は、記録用画像を撮影するための撮影指示となる。
【００１９】
図２に示すように、カメラ本体部２の上面右方には、電源のオン／オフを切り替えるとともに、「撮影モード」、「再生モード」及び「通信モード」の間で動作モードを切り替えるダイヤル式のメインスイッチ１５が設けられている。
【００２０】
撮影モードは、被写体の撮影を行い画像データ（以下、適宜「画像」ともいう。）を取得しメモリカード９に記録する動作モードである。再生モードは、メモリカード９に記録された画像データを読み出して再生表示する動作モードである。また、通信モードは、カメラ本体部２背面に設けられるＵＳＢ端子２７を介して外部のコンピュータに画像データを転送するなどの通信を行う動作モードである。
【００２１】
メインスイッチ１５の左方には、デジタルカメラ１の各種の設定情報を表示するデータパネル２１が設けられており、デジタルカメラ１の設定情報を容易に把握することができるようにされている。
【００２２】
また、デジタルカメラ１の側面上方には、各種項目を設定するためのファンクションダイヤル１６及びファンクションボタン１６ａが設けられている。ファンクションダイヤル１６によって設定を行う項目にセットした後、ファンクションボタン１６ａを押下しつつ、グリップ部４上部の選択ダイヤル１２を回転させることにより、セットされた項目の設定内容を順次変更することができる。
【００２３】
図３に示すように、カメラ本体部２の背面左方には、撮影待機状態においてリアルタイムな被写体像を表示するライブビュー表示、記録された画像データの再生表示及び各種設定情報の表示等を行うための電子ビューファインダ（ＥＶＦ）２２及び液晶ディスプレイ（ＬＣＤ）２３が設けられている。ＥＶＦ２２及びＬＣＤ２３には、Ｒ（赤），Ｇ（緑），Ｂ（青）の各色を順次に高速表示する面順次表示方式の液晶が採用されている。また、ＥＶＦ２２及びＬＣＤ２３は、例えばＶＧＡに対応した横６４０×縦４８０の表示画素を有しており、高解像度の画像を表示することができるように構成されている。また、ＥＶＦ２２及びＬＣＤ２３は、そのフレームレートを変更することが可能であり、フレームレートは必要に応じて変更される。
【００２４】
ＥＶＦ２２の表示とＬＣＤ２３の表示とは、ＥＶＦ２２の右方のディスプレイ切り替えレバー１７の操作により切り替えを行うことができるようにされている。また、ディスプレイ切り替えレバー１７の中央部分は情報表示切り替えボタン１７ａとなっており、ＬＣＤ２３又はＥＶＦ２２に画像データが表示されているときに、設定情報等を同時に表示するか否かを切り替えることができるようになっている。
【００２５】
また、ＬＣＤ２３の右方にはメニューボタン１８及び十字キー１９が設けられている。十字キー１９は上スイッチ１９Ｕ、下スイッチ１９Ｄ、左スイッチ１９Ｌ及び右スイッチ１９Ｒからなる４連スイッチ、並びに、中央ボタン１９Ｃから構成される。メニューボタン１８を押下するとＬＣＤ２３に設定メニューが表示され、設定メニューを参照しつつ、十字キー１９を操作することによって、デジタルカメラ１の基本的な設定を行うことができる。
【００２６】
例えば、デジタルカメラ１は、ＥＶＦ２２又はＬＣＤ２３における表示状態を、高解像度表示、低解像度表示及び自動解像度表示のうちから選択することができるように構成されており、ユーザはメニューボタン１８と十字キー１９とを操作することでＥＶＦ２２又はＬＣＤ２３における表示状態を所望の状態に設定する。
【００２７】
十字キー１９の下部には、クイックビュー／消去ボタン２０が設けられている。クイックビュー／消去ボタン２０は、撮影モードにおいては直前に撮影した画像データの簡易再生表示を行うクイックビューボタンとして機能し、再生モードにおいては再生している画像データをメモリカード９から消去する消去ボタンとして機能する。
【００２８】
カメラ本体部２の下部には電池室２４が設けられている。電池室２４は、電池室解放レバー２４ａでその蓋が解放され、４本の単三形乾電池が装填される。可搬性のデジタルカメラ１は、電池室２４に装填される単三形乾電池を通常の駆動源としているが、電池室２４の右方に設けられる電源入力端子２５を介して供給される外部からの直流電源を駆動源とすることも可能とされている。
【００２９】
電源入力端子２５の右方には、ビデオ出力端子２６が設けられており、外部のモニタに画像データを転送して表示させることができるようにされている。
【００３０】
また、カメラ本体部２の内部にはカードスロット２９が設けられ、カメラ本体部２の側面から画像データ等を記録するメモリカード９を挿入して装着できる。カードスロット２９の挿入口近傍には、メモリカード９へのアクセス中である旨を表示するためのアクセスランプ２８が配置される。
【００３１】
＜１−２．デジタルカメラの内部構成＞
図４は、デジタルカメラ１の主たる内部構成を機能ブロックとして示す図である。
【００３２】
ＣＣＤ４１は縦方向及び横方向に２次元的な画素配列を有する撮像素子であり、例えば横２５６０×縦１９２０の画素を備えて構成される。ＣＣＤ４１は撮影レンズ３により結像された被写体の光像を画像信号（各画素で受光された画素信号の信号列からなる信号）に光電変換して出力する。ＣＣＤ４１の撮像面はベイヤー配列で各色成分に対応づけられた画素配列となっており、各画素はベイヤー配列に対応するＲ（赤），Ｇ（緑），Ｂ（青）のうちの各１色についての輝度成分を検出するように構成されている。
【００３３】
ＣＣＤ４１は、画像信号の出力モードとして、横２５６０×縦１９２０の全画素を有する画像データを出力するフレームモードと、縦方向（垂直方向）の画素を１／８に間引いた横２５６０×縦２４０の画素を有する解像度の低い画像データを出力するドラフトモードとを有している。ライブビュー用の簡易的な画像データを取得する際には高速化のためドラフトモードに、撮影指示後において記録用の画像データを取得する際には高精細な画像の取得が必要なためフレームモードにそれぞれ設定される。そしてＣＣＤ４１からは、横方向（水平方向）に並ぶ画素配列に従って順次画像信号が出力される。
【００３４】
信号処理回路４２は、ＣＣＤ４１から出力される画像信号（アナログ信号）に所定の信号処理を施すものである。信号処理回路４２は、ＣＤＳ（相関二重サンプリング）回路、ＡＧＣ（オートゲインコントロール）回路、Ａ／Ｄ変換器等をその内部に有し、ＣＤＳ回路により画像信号のノイズの低減を行い、ＡＧＣ回路のゲインを調整することにより画像信号のレベル調整を行う。さらに、Ａ／Ｄ変換器により、各画素ごとのアナログ信号を例えば１２ビットのデジタル信号に変換する。
【００３５】
なお、信号処理回路４２から出力される画像データは、各画素値がベイヤー配列に対応するＲＧＢのうちいずれかの色成分のみを有するベイヤー形式となる。この画像データは、デジタルカメラ１の内部のバスライン４５を介して転送され全体制御部５０に入力される。
【００３６】
タイミングジェネレータ４３は、全体制御部５０から入力される信号に基づき、ＣＣＤ４１及び信号処理回路４２への駆動制御信号を生成し出力するものである。例えば、受光した光量の積分の開始や停止を指示するタイミング信号や、画像信号の出力制御信号（ドラフトモードやフレームモードへの出力モードの変更信号を含む）等の信号を生成し、ＣＣＤ４１及び信号処理回路４２へ出力する。
【００３７】
デジタルカメラ１がライブビュー用の画像データを取得する際には、その取得レートが例えば３０ｆｐｓ（ｆｒａｍｅｓ　ｐｅｒ　ｓｅｃｏｎｄ）となるように（１／３０秒ごとに画像データを取得するように）、ＣＣＤ４１等に対して駆動制御信号を送出する。また、記録用の画像データを取得する際には、ＣＣＤ４１等が記録用画像を撮影するための駆動制御信号を送出する。
【００３８】
レンズ駆動部３３は、全体制御部５０から入力される信号に基づいて、撮影レンズ３に含まれるレンズ群、入射光量を調節する絞り、及び、メカニカルシャッター等の駆動を行う。
【００３９】
レンズ駆動部３３が撮影レンズ３を駆動することにより、デジタルカメラ１における自動合焦制御（ＡＦ制御）が可能なように構成されている。ただし、撮影レンズ３をユーザがマニュアル操作することによって、被写体像を合焦状態に導くことも可能なように構成されている。つまり、デジタルカメラ１は、ＡＦ（オートフォーカス）とＭＦ（マニュアルフォーカス）とを切り換え可能なように構成されている。
【００４０】
操作部材１０は、上述したシャッタボタン１１、ファンクションダイヤル１６、メニューボタン１８、十字キー１９等を含むものである。ユーザが操作部材１０に対して操作を行った場合、その操作内容は、信号として全体制御部５０に入力される。また、操作部材１０によって設定された情報は、全体制御部５０内のＲＡＭ５３などに記憶される。
【００４１】
全体制御部５０は、デジタルカメラ１の装置全体を統括制御する制御機能を有するとともに、各種データ処理を行うデータ処理機能をも有し、マイクロコンピュータを備えて構成されている。具体的には、その本体部であるＣＰＵ５１、制御プログラムなどを記憶するＲＯＭ５２、作業領域となるＲＡＭ５３を備えており、それぞれをバスライン４５によって接続した構成となっている。さらに、全体制御部５０は、バスコントローラ５４、画像処理部５５、ビデオコントローラ５６、圧縮部５７、メモリカードコントローラ５８及びシリアルインターフェース（Ｉ／Ｆ）５９を備えており、これらも同一のバスライン４５を介して接続される。
【００４２】
バスコントローラ５４は、各種画像データを格納する画像メモリ４４と接続されており、全体制御部５０の各処理部と画像メモリ４４との間のバスライン４５を介しての転送を制御するものである。バスコントローラ５４は、バスライン４５を介しての転送の要求が複数存在する場合は、それらを調停してそれぞれの要求を満たすアービトレーション機能を備えている。
【００４３】
また、バスコントローラ５４は、ＤＭＡコントローラとしての機能も有しており、全体制御部５０の各処理部からの要求に応じて、要求を行った処理部と画像メモリ４４と間でＣＰＵ５１の処理を介さない直接的な画像データの転送（いわゆるＤＭＡ転送）を行う。
【００４４】
画像処理部５５は、ＣＣＤ４１で取得された画像データに対して各種の画像処理を行うように構成される。図５は、画像処理部５５で実現される機能をそれぞれ機能ブロックとして示す図である。図５に示すように、画像処理部５５の主たる機能は、データ補正部５５１、色補間変換部５５２及びライブビュー画像生成部５５３として表現される。
【００４５】
データ補正部５５１は、画像データに対して、黒レベル補正、ホワイトバランス補正及びγ補正等の各種補正処理を施す。ＣＰＵ５１により設定されるパラメータに基づいて、画像データごとに適切な補正処理が行われる。
【００４６】
色補間変換部５５２は、ベイヤー形式の画像データの各画素がＲＧＢ全ての色成分についてのデータを有するように画素補間処理を行う。さらに、ＲＧＢ値で表現された各画素値を、輝度成分と色差成分とからなるＹＣｒＣｂ値に変換する。これにより、色補間変換部５５２からはＹＣｒＣｂ形式の画像データが出力される。
【００４７】
ライブビュー画像生成部５５３は、ＹＣｒＣｂ形式で表現された画像データを入力し、ＥＶＦ２２あるいはＬＣＤ２３にライブビューとして、被写体のリアルタイム画像を表示するための画像データ（以下、「ライブビュー画像」ともいう。）を生成する。ライブビュー画像生成部５５３は解像度変換部５５３ａを備えており、ＥＶＦ２２あるいはＬＣＤ２３で表示する画像データの解像度を変換する。具体的には、ＣＣＤ４１から得られる画像データを、ＥＶＦ２２やＬＣＤ２３の表示解像度であるＶＧＡサイズに解像度変換したり、ＥＶＦ２２やＬＣＤ２３の表示解像度よりも低い解像度であるＱＶＧＡサイズ（横３２０×縦２４０）の解像度に変換する機能を有する。
【００４８】
例えば、ライブビューを行う際には、上述のように、ＣＣＤ４１がドラフトモードに設定され、縦方向に１／８間引きが行われた横２５６０×縦２４０の画像サイズを有する画像データが読み出される。この画像データから、ライブビュー画像生成部５５３において、ＶＧＡサイズ又はＱＶＧＡサイズの解像度を有するライブビュー画像が生成される。
【００４９】
なお、横２５６０×縦２４０の画像からＶＧＡサイズのライブビュー画像を生成するためには、ライブビュー画像生成部５５３において縦方向に補間処理を行い、横方向に解像度の低下処理を行う必要があるが、縦方向に補間処理を行うと全体制御部５０からＥＶＦ表示ユニット１００又はＬＣＤ表示ユニット２００に対して送信するデータ量が増加する可能性がある。このため、縦方向に関する補間処理はＥＶＦ表示ユニット１００又はＬＣＤ表示ユニット２００において行うことが好ましい。したがって、この場合は、ＶＧＡサイズのライブビュー画像とはならず、横６４０×縦２４０の画像サイズを有するライブビュー画像となる。
【００５０】
図４に戻り、圧縮部５７は、ライブビュー表示時に画像処理部５５から得られるライブビュー画像に対して圧縮処理を施す。図６は圧縮部５７の内部機能を示すブロック図である。圧縮部５７は、ＤＣＴ部５７１、量子化部５７２、ハフマン符号化部５７３、量子化テーブル５７４及びハフマンテーブル５７５を備えて構成され、いわゆるＪＰＥＧ方式により所定の圧縮率での圧縮処理が実行される。具体的には、ライブビュー表示時に画像処理部５５から得られるライブビュー画像は、ＤＣＴ部５７１において離散コサイン変換が行われ、量子化部５７２で量子化テーブル５７４に基づいた量子化が行われる。そしてハフマン符号化部５７３においてハフマンテーブル５７５に基づいた符号化処理が行われることにより、圧縮画像データが生成される。このような圧縮処理は、画質劣化を抑制しつつ、データ量を低下させることができる。
【００５１】
また、圧縮部５７は撮影指示が与えられた後にＣＣＤ４１から得られる記録用の画像データに対してもＪＰＥＧ方式による圧縮処理を行うように構成される。
【００５２】
ビデオコントローラ５６は、ディスプレイ切り替えレバー１７の設定に基づいて、表示すべき画像データをＥＶＦ表示ユニット１００あるいはＬＣＤ表示ユニット２００に出力するものである。ライブビュー画像を表示する際には、圧縮部５７にて圧縮処理の施された圧縮画像データを、ＥＶＦ表示ユニット１００あるいはＬＣＤ表示ユニット２００に出力する。
【００５３】
また、ビデオコントローラ５６は外部モニタ６２に対する画像信号の出力も行うように構成されており、デジタルカメラ１に外部モニタ６２が接続された場合には、ＮＴＳＣやＰＡＬなどの方式に信号変換を行った後、ビデオ出力端子２６を介して画像信号を出力する。
【００５４】
図７はＥＶＦ表示ユニット１００の構成を示すブロック図である。ＥＶＦ表示ユニット１００は全体制御部５０とは別ユニットとして構成され、ＥＶＦ表示ユニット１００と全体制御部５０とはデジタルカメラ１の内部においてフレキシブル基板等によって形成される伝送路６０を介して互いに電気的に接続された状態となっている。
【００５５】
ＥＶＦ表示ユニット１００は、伸長部１１０と補間処理部１２０とＲＧＢ変換部１３０とセレクタ１４０とＥＶＦ２２とを備えて構成され、全体制御部５０から入力する表示用の圧縮画像データを入力してＥＶＦ２２にて画像表示を行う機能を有している。
【００５６】
伸長部１１０は、ハフマン復号化部１１１、逆量子化部１１２、逆ＤＣＴ部１１３、ハフマンテーブル１１４及び量子化テーブル１１５を備えて構成され、いわゆるＪＰＥＧ方式によって圧縮された画像データを圧縮前の状態に復元するための伸長処理が実行される。具体的には、全体制御部５０から伝送路６０を介して入力する表示用の圧縮画像データは、ハフマン復号化部１１１においてハフマンテーブル１１４に基づいた復号化処理が行われ、逆量子化部１１２で量子化テーブル１１５に基づいた逆量子化処理が行われる。そして逆ＤＣＴ部１１３において離散コサイン変換の逆変換が行われる。ここで、ハフマンテーブル１１４及び量子化テーブル１１５は、圧縮部５７におけるハフマンテーブル５７５及び量子化テーブル５７４と同一内容であり、上記の伸長処理により、画像処理部５５において生成されるライブビュー画像が再現される。つまり、伸長部１１０により、ＹＣｒＣｂ形式で表現されたライブビュー画像が再現されることになる。このようにして得られるライブビュー画像は、補間処理部１２０に与えられる。
【００５７】
補間処理部１２０はライブビュー画像の解像度をＥＶＦ２２の表示解像度に適合させるための補間処理を行う。例えば、全体制御部５０のライブビュー画像生成部５５３において、ＱＶＧＡサイズのライブビュー画像が生成されていた場合には、補間処理部１２０が機能して補間処理を行うことにより、ライブビュー画像の解像度をＱＶＧＡサイズからＶＧＡサイズに変換する。ただし、全体制御部５０のライブビュー画像生成部５５３において、ＶＧＡサイズのライブビュー画像が生成されていた場合には、伸長処理によってＶＧＡサイズのライブビュー画像が得られるため、補間処理部１２０は機能せずに、入力するライブビュー画像はそのままの状態でＲＧＢ変換部１３０に与えられる。
【００５８】
なお、全体制御部５０から横６４０×縦２４０の画像サイズを有するライブビュー画像を入力する場合には、補間処理部１２０は、縦方向に対する補間処理を行って、横６４０×縦４８０となるＶＧＡサイズのライブビュー画像を生成することになる。
【００５９】
ＲＧＢ変換部１３０はＹＣｒＣｂ形式で表現されるライブビュー画像をＲＧＢ形式に変換し、ＲＧＢの各色成分についてＶＧＡサイズの画像データを生成する。Ｒ，Ｇ，Ｂ３色分の各画像データはセレクタ１４０に出力される。
【００６０】
セレクタ１４０はＲ，Ｇ，Ｂの各色の画像データを順次にＥＶＦ２２に対して出力する。上述したようにＥＶＦ２２は面順次表示方式であるため、セレクタ１４０から順次に与えられるＲ，Ｇ，Ｂの各色の画像データに基づいて、各色の表示状態を高速で切り替えることにより、カラー画像を高精細に表示する。
【００６１】
以上のように、ＥＶＦ表示ユニット１００は全体制御部５０から得られる圧縮画像データに対して伸長処理を施してカラー画像表示を行うように構成されている。
【００６２】
なお、ＬＣＤ表示ユニット２００についても図７に示した構成とほぼ同様であり、図７におけるＥＶＦ２２をＬＣＤ２３に置き換えればＬＣＤ表示ユニット２００の詳細構成となる。
【００６３】
図４に戻り、メモリカードコントローラ５８は、デジタルカメラ１に装着されるメモリカード９とのデータの入出力を制御する。画像データを記録する際には、所定形式の名称を付して、画像ファイルとして記録する。
【００６４】
上述したタイミングジェネレータ４３、レンズ駆動部３３及び操作部材１０は、それぞれシリアルインターフェース５９を介して、バスライン４５に電気的に接続される。これにより、ＣＰＵ５１は、これらの部材に対して各種信号を送信して制御を行う一方、これらの部材から出力される各種信号を受信することができる。
【００６５】
全体制御部５０の各処理部においてそれぞれ処理された画像データは、一旦画像メモリ４４に格納される。このため、画像メモリ４４には、処理が行われた画像データをそれぞれ格納する領域が確保される。例えば、ライブビュー表示が行われる際には、ＣＣＤ４１から縦方向に１／８間引きして得られる画像データが画像メモリ４４に一旦格納された後、画像処理部５５が画像メモリ４４から画像データを取得してライブビュー画像を生成し、再び画像メモリ４４に格納する。そして圧縮部５７が画像メモリ４４からライブビュー画像を取得して圧縮処理を施し、画像メモリ４４に対して再度格納する。ビデオコントローラ５６は所定のフレームレートで画像メモリ４４から圧縮されたライブビュー画像を取得し、それをＥＶＦ表示ユニット１００等に送出することで、ライブビュー表示が実現される。
【００６６】
全体制御部５０によるデジタルカメラ１の統括的な各種制御は、ＲＯＭ５２に記憶される制御プログラムに従って、ＣＰＵ５１が演算動作を行うことにより行われる。このような制御プログラムによって実現される機能としては、デジタルカメラ１の上述した各部の動作制御の他、絞り値、シャッタースピードなどの露出条件を決定する露出制御、撮影レンズ３のレンズ群の合焦位置を決定するＡＦ制御、画像処理部５５における各種パラメータを決定する画像処理制御などが含まれる。
【００６７】
なお、このような制御プログラムは、記録媒体であるメモリカード（制御プログラムを記憶したもの）９から読み出して、新たに格納（インストール）することも可能とされている。
【００６８】
＜１−３．撮影モードにおける表示動作＞
次に、デジタルカメラ１の撮影モードにおける表示動作について説明する。まず、デジタルカメラ１において自動解像度表示が選択されている場合を述べる。図８は、自動解像度表示が選択されている場合の撮影モードにおける表示動作を示すフローチャートである。なお、以下の説明においては、ディスプレイ切り替えレバー１７により、ＥＶＦ２２にライブビュー表示を行う設定になっているものとするが、ＬＣＤ２３にライブビュー表示を行う場合も同様である。
【００６９】
デジタルカメラ１は撮影モードに設定されると、まず、フォーカスモードとして、ＡＦモードが設定されているか、ＭＦモードが設定されているかを判断する（ステップＳＴ１）。そしてＡＦモードが設定されている場合には、ステップＳＴ２に進み、ＭＦモードが設定されている場合にはステップＳ７に進む。
【００７０】
ＡＦモードの場合は、ＣＣＤ４１がドラフトモードに設定されて撮影待機状態となり、ライブビュー表示が開始される。このとき全体制御部５０のライブビュー画像生成部５５３は、ＱＶＧＡサイズの低解像度でライブビュー画像を生成するように内部状態の設定を行い、シャッタボタン１１がＳ１状態（半押し状態）とされるまでの間、低解像度でのライブビュー表示を行う（ステップＳＴ２）。
【００７１】
図９は、低解像度でライブビュー表示を行う場合のデジタルカメラ１における内部動作を模式的に示す図である。ＣＣＤ４１からドラフトモードで画像読み出しが行われることによって、全体制御部５０には横２５６０×縦２４０のベイヤー配列の画像データＧ１０が入力する。この画像データＧ１０は、所定の画像処理及びライブビュー画像生成処理によって、低解像度すなわち、ＱＶＧＡサイズ（横３２０×縦２４０）のライブビュー画像Ｇ１１に変換される。例えば、横方向のみに関して１／８のデータ縮小処理（一種の圧縮処理）を行うことにより、ＱＶＧＡサイズのライブビュー画像Ｇ１１が生成される。このライブビュー画像Ｇ１１は、圧縮処理によってデータ圧縮され、ライブビュー画像Ｇ１１よりもデータ量の少ない圧縮画像データＧ１２が生成される。全体制御部５０は、この圧縮画像データＧ１２をＥＶＦ表示ユニット１００に送出する。
【００７２】
ＥＶＦ表示ユニット１００では、圧縮画像データＧ１２を入力すると、伸長処理を行うことで、ライブビュー画像Ｇ１３を復元する。伸長処理は、全体制御部５０における圧縮処理の逆変換に相当する処理であるため、伸長処理によって得られるライブビュー画像Ｇ１３は、全体制御部５０にて生成されたライブビュー画像Ｇ１１とほぼ同様の状態に復元される。ライブビュー画像Ｇ１３はＱＶＧＡサイズであるのに対し、ＥＶＦ２２の表示サイズはＶＧＡであるため、縦方向及び横方向のそれぞれについて線形補間等の補間処理が行われ、ＥＶＦ２２の表示サイズに適合したライブビュー画像Ｇ１４が生成される。その後、色変換等が行われて、ライブビュー画像Ｇ１４がＥＶＦ２２に表示される。
【００７３】
そして上記の処理が所定のフレームレート（例えば９０ｆｐｓ）で繰り返し行われることにより、ＥＶＦ２２には、表示解像度よりも低い解像度の画像がライブビューとして表示されることになる。例えば、ＥＶＦ２２に表示される画像データが１秒間に９０回更新（ただし、面順次表示方式であるため各色のみの画像としては、９０×３＝２７０回更新）されてライブビュー表示が行われる。
【００７４】
一般に、ユーザがフレーミング操作等を行う撮影待機状態においては、高精細な画像を確認する必要がない。このため、低解像度の画像データを圧縮した状態で、全体制御部５０からＥＶＦ表示ユニット１００に送出することで、ライブビュー表示のためのデータ送信量を低減することができる。よって、データ送信を効率的に行うことが可能になり、全体制御部５０の大規模化を行う必要性、及び、内部クロックを上げる必要性は低くなり、消費電力量や発熱量を増加させることなく、ＥＶＦ２２に対する画像表示を行うことが可能である。
【００７５】
次に、シャッタボタン１１がＳ１状態（半押し状態）とされると（ステップＳＴ３にてＹＥＳ）、デジタルカメラ１はＡＦ制御を開始する。このとき、ユーザは被写体像の合焦状態を視認する必要があるので、高解像度でのライブビュー表示が行われる（ステップＳＴ４）。つまり、全体制御部５０のライブビュー画像生成部５５３が、ＶＧＡサイズの高解像度でライブビュー画像を生成するように内部状態の設定を行い、高解像度でのライブビュー表示を行う。
【００７６】
図１０は、高解像度でライブビュー表示を行う場合のデジタルカメラ１における第１の内部動作を模式的に示す図である。ＣＣＤ４１からドラフトモードで画像読み出しが行われることによって、全体制御部５０には横２５６０×縦２４０のベイヤー配列の画像データＧ２０が入力する。この画像データＧ２０は、所定の画像処理及びライブビュー画像生成処理によって、高解像度すなわち、ＶＧＡサイズ（横６４０×縦４８０）のライブビュー画像Ｇ２１に変換される。例えば、横方向については１／４のデータ縮小処理（一種の圧縮処理）、縦方向については２倍のデータ拡張が行われることにより、ＶＧＡサイズのライブビュー画像Ｇ２１が生成される。ライブビュー画像Ｇ２１は、圧縮処理によってデータ圧縮され、ライブビュー画像Ｇ２１よりもデータ量の少ない圧縮画像データＧ２２が生成される。全体制御部５０は、この圧縮画像データＧ２２をＥＶＦ表示ユニット１００に送出する。
【００７７】
ＥＶＦ表示ユニット１００では、圧縮画像データＧ２２を入力すると、伸長処理を行うことで、ライブビュー画像Ｇ２３を復元する。伸長処理は、全体制御部５０における圧縮処理の逆変換に相当する処理であるため、伸長処理によって得られるライブビュー画像Ｇ２３は、全体制御部５０にて生成されたライブビュー画像Ｇ２１とほぼ同様の状態に復元される。ライブビュー画像Ｇ２３はＥＶＦ２２の表示サイズに適合したＶＧＡサイズであるため、ＥＶＦ表示ユニット１００において補間処理を行う必要はない。そして色変換等が行われて、ライブビュー画像Ｇ２３がＥＶＦ２２に表示される。
【００７８】
そして上記の処理が所定のフレームレート（例えば９０ｆｐｓ）で繰り返し行われることにより、ＥＶＦ２２には、表示解像度と同等の高解像度の画像がライブビューとして表示されることになり、ユーザは高解像度の表示画像を視認することで、被写体の細部の状態を容易に確認することが可能になる。また、高解像度のライブビュー表示を行う場合にも、高解像度の画像データは、圧縮された状態で、全体制御部５０からＥＶＦ表示ユニット１００に送出されるので、ライブビュー表示のための高精細な画像のデータ送信量を低減することができる。よって、データ送信を効率的に行うことが可能になり、全体制御部５０の大規模化を行う必要性、及び、内部クロックを上げる必要性は低くなり、消費電力量や発熱量を増加させることなく、ＥＶＦ２２に対する高精細な画像表示を行うことが可能である。
【００７９】
次に、図１１は、高解像度でライブビュー表示を行う場合のデジタルカメラ１における第２の内部動作を模式的に示す図である。ＣＣＤ４１からドラフトモードで画像読み出しが行われることによって、全体制御部５０には横２５６０×縦２４０のベイヤー配列の画像データＧ３０が入力する。この画像データＧ３０は、所定の画像処理及びライブビュー画像生成処理によって、画像Ｇ３１に変換される。この画像Ｇ３１は、横６４０×縦２４０の画像サイズとして生成される。例えば、ＣＣＤ４１からドラフトモードで縦方向に１／８間引きして得られる画像Ｇ３０の横方向のみに関してデータ縮小処理（一種の圧縮処理）が施され、画像Ｇ３１が生成される。この画像Ｇ３１は、圧縮処理によってデータ圧縮され、画像Ｇ３１よりもデータ量の少ない圧縮画像データＧ３２が生成される。全体制御部５０は、この圧縮画像データＧ３２をＥＶＦ表示ユニット１００に送出する。
【００８０】
ＥＶＦ表示ユニット１００では、圧縮画像データＧ３２を入力すると、伸長処理を行うことで、画像Ｇ３３を復元する。伸長処理は、全体制御部５０における圧縮処理の逆変換に相当する処理であるため、伸長処理によって得られる画像Ｇ３３は、全体制御部５０にて生成された画像Ｇ３１とほぼ同様の状態に復元される。そして縦方向について補間処理を行うことにより、画像Ｇ３３はＥＶＦ２２の表示サイズに適合したＶＧＡサイズのライブビュー画像３４に変換される。その後、色変換等が行われて、ライブビュー画像Ｇ３４がＥＶＦ２２に表示される。
【００８１】
そして上記の処理が所定のフレームレート（例えば９０ｆｐｓ）で繰り返し行われることにより、ＥＶＦ２２には、表示解像度と同等の高解像度の画像がライブビューとして表示されることになり、ユーザは高解像度の表示画像を視認することで、被写体の細部の状態を容易に確認することが可能になる。また、この場合にも、高解像度の画像データは、圧縮された状態で、全体制御部５０からＥＶＦ表示ユニット１００に送出されるので、ライブビュー表示のためのデータ送信に要する消費電力量を低減し、かつ発熱量を抑えるように構成される。
【００８２】
高解像度表示において、上記第１及び第２の動作のいずれを採用してもよいが、第２の動作の場合は、画像の縦方向に関してより少ないデータ量の画像を圧縮してＥＶＦ表示ユニット１００に伝送するように構成されるため、効率的なデータ送信が可能であり、消費電力量の低減及び発熱量の低下という観点からすれば、第２の動作の方がより好ましい。
【００８３】
図８に戻り、シャッタボタン１１がＳ２状態（全押し状態）とされ、撮影処理が終了すると（ステップＳＴ５にてＹＥＳ）、デジタルカメラ１は再び撮影待機状態に移行する。このとき全体制御部５０のライブビュー画像生成部５５３は、再びＱＶＧＡサイズの低解像度でライブビュー画像を生成するように内部状態の設定を変更し、低解像度でのライブビュー表示を行う（ステップＳＴ６）。ここでのライブビュー動作は、図９に示したものと同様である。
【００８４】
そしてユーザが撮影モードから他のモードに切り替え操作を行ったか否かを判断し（ステップＳＴ８）、撮影モードが終了した場合には、他の動作モードへと移行する（ステップＳＴ９）。これに対し、ユーザがモードの切り替え操作を行っていない場合には、ステップＳＴ１に戻り、上記動作を繰り返す。
【００８５】
一方、ステップＳＴ１においてＭＦモードが設定されていた場合には、全体制御部５０のライブビュー画像生成部５５３は、高解像度でライブビュー画像を生成するように内部状態の設定を変更し、図１０又は図１１に示した内部動作によって、高解像度でのライブビュー表示を行う（ステップＳＴ７）。
【００８６】
ＭＦモードの場合、ユーザはマニュアル操作で合焦状態を実現するため、被写体の合焦状態が実現されているか否かを判断するために、画像の細部を視認する必要があり、上記のように高解像度でライブビュー表示を行うことで、その要求に応えることが可能である。
【００８７】
以上のように、デジタルカメラ１において自動解像度表示が選択されている場合、高解像度の画像を視認する必要性が高い場合にはＥＶＦ２２に高解像度の画像が表示され、その必要性が低い場合にはＥＶＦ２２に低解像度の画像が表示される。
【００８８】
次に、デジタルカメラ１において高解像度表示又は低解像度表示が選択されている場合には、常時選択された状態でＥＶＦ２２への画像表示が行われることになる。なお、高解像度表示が選択されている場合には、図１０又は図１１に示される内部動作によって常時高解像度の画像がＥＶＦ２２に表示され、低解像度表示が選択されている場合には、図９に示される内部動作によって常時低解像度の画像がＥＶＦ２２に表示される。
【００８９】
以上、第１の実施の形態について説明を行ったが、本実施形態のデジタルカメラ１では、ＣＣＤ４１から得られる画像データに対して圧縮処理を施し、それによって得られる圧縮画像データをＥＶＦ表示ユニット１００やＬＣＤ表示ユニット２００に対して出力するように構成されており、ＥＶＦ表示ユニット１００及びＬＣＤ表示ユニット２００では、入力する圧縮画像データに対して伸長処理を施して画像表示を行うように構成される。つまり、圧縮処理によってＥＶＦ表示ユニット１００等に送信すべきデータ量が低減され、ＥＶＦ表示ユニット１００等での伸長処理によって圧縮前の画像が復元されるので、単なる間引き処理等によってデータ量を低減させる場合と比較すると、本実施形態の場合は画質を低下させることなく、伝送すべきデータ量を低減することが可能である。したがって、ＥＶＦ２２等における表示画質を損なうことなく、効率的なデータ転送が可能であり、表示用画像のデータ量が増加しても、処理デバイスの大規模化や内部クロックを上げることなく、データ転送を行うことが可能である。そしてこの結果、全体制御部５０からＥＶＦ表示ユニット１００等に対するデータ送出に要する消費電力や、そのために発生する発熱量等を低減することが可能である。
【００９０】
また、全体制御部５０から表示用画像を圧縮した状態で送出し、ＥＶＦ表示ユニット１００等で圧縮画像データに対する伸長処理を行うことで、全体制御部５０からＥＶＦ表示ユニット１００等に対して画像データを送出するフレームレートを増加させることも可能になる。
【００９１】
次に掲げる表１は、非圧縮状態で画像データを送出した場合と圧縮状態で画像データを送出した場合とを対比して示すものであり、圧縮転送表示を行うことによって、高速フレームレートでライブビュー表示を行うことができることを示すものである。
【００９２】
【表１】
2004104222.tif 000003
【００９３】
例えば、表１に示すように、非圧縮転送表示において低解像度（画像サイズ：ＱＶＧＡ）の画像を表示する場合、９０ｆｐｓで表示画像の更新を行うことができるものとする。この場合において、高解像度（画像サイズ：ＶＧＡ）の画像を非圧縮転送表示すると、全体制御部５０からＥＶＦ表示ユニット１００等に送出されるデータ量は４倍になるため、フレームレートは９０／４ｆｐｓとなる。つまり、転送すべきデータ量が増加するため、全体制御部５０の処理能力で、発熱量を抑制しつつデータ転送を行うためには、フレームレートを低下させなくてはならない。
【００９４】
これに対し、圧縮転送表示において低解像度（画像サイズ：ＱＶＧＡ）の画像を表示する場合、９０／（圧縮率）ｆｐｓで表示画像の更新を行うことが可能になる。圧縮率をＲとすると、一般にＲ＜１であるため、圧縮転送表示の低解像度表示では、高速フレームレートでの表示が可能になる。また、高解像度（画像サイズ：ＶＧＡ）の画像を圧縮転送表示すると、フレームレートは９０／４／（圧縮率）ｆｐｓとなる。この場合も、非圧縮転送表示の高解像度表示に比べて高速フレームレートでの表示が可能になる。
【００９５】
したがって、本実施形態のように、全体制御部５０から表示用画像を圧縮した状態で送出し、ＥＶＦ表示ユニット１００等で圧縮画像データに対する伸長処理を行って画像表示を行うことで、全体制御部５０からＥＶＦ表示ユニット１００等に対して画像データを送出するフレームレートを増加させることも可能になり、高品質な画像を高速フレームレートで更新しつつ、ライブビュー表示を行うことが可能になる。
【００９６】
また、本実施形態では、全体制御部５０とＥＶＦ表示ユニット１００又はＬＣＤ表示ユニット２００とは、それぞれ別ユニットとして構成されており、全体制御部５０がフレキシブル基板等によって形成される伝送路６０を介してＥＶＦ表示ユニット１００等に圧縮画像データを出力するように構成されている。このため、データ量を低減させた状態でデータ転送を行うことができ、特に波形の折り返しひずみ等の問題が発生する可能性を低減した状態でデータ転送が行われるので、高い信頼性で表示用画像の伝送を行うことが可能である。また、これにより、全体制御部５０とＥＶＦ表示ユニット１００又はＬＣＤ表示ユニット２００との距離が比較的遠くなったとしても表示用の画像データは良好に伝達されるので、全体制御部５０、ＥＶＦ表示ユニット１００及びＬＣＤ表示ユニット２００の配置に関する自由度が増す。
【００９７】
また、本実施形態では、ＣＣＤ４１が縦方向及び横方向に複数の画素が配列され、ＥＶＦ２２等に表示させるための表示用画像データを生成する際には、縦方向に画素間引きを行いつつ表示用画像データを生成するように構成され、全体制御部５０において表示用画像データの横方向の画素配列に関して圧縮処理（データ縮小処理）が施される。一般には、ＣＣＤ４１から横方向のライン毎に画像の読み出し動作が行われるため、上記の処理はＣＣＤ４１からの読み出し動作に連動して行うことができ、より効率的な内部処理が可能なように構成されている。
【００９８】
また、本実施形態では、ＥＶＦ２２及びＬＣＤ２３は面順次表示方式で構成されており、Ｒ，Ｇ，Ｂの各色を順次に高速で切り替えることによってカラー画像の表示を行うので、表示用画像のデータ量は特に多くなる。このため、全体制御部５０において圧縮処理を施した圧縮画像データをＥＶＦ表示ユニット１００等に送出することが特に有効となる。
【００９９】
また、本実施形態では、全体制御部５０においてＣＣＤ４１から得られる画像データの解像度を変化させることができ、ＥＶＦ表示ユニット１００等に入力する画像データの解像度が表示解像度と異なる解像度である場合には、画像データの解像度を表示解像度に適合させて画像表示を行うように構成されている。このため、解像度を低下させてデータ伝送効率を向上させつつも、ＥＶＦ２２やＬＣＤ２３に対しては表示解像度に適合させた画像表示を良好に行うことが可能である。
【０１００】
さらに、合焦動作を行う場合にはＣＣＤ４１から得られる画像データの解像度を高解像度に変化させ、合焦動作を行わない場合にはＣＣＤ４１から得られる画像データの解像度を低解像度に変化させることで、ユーザが高解像度の画像を視認する必要のない場合には消費電力や発熱量をさらに低減させることができ、ユーザが高解像度の画像を視認する必要がある場合には消費電力や発熱量の増加を抑制しつつも高解像度の画像データをＥＶＦ２２等に送出することができるようになる。
【０１０１】
また、本実施形態においては、全体制御部５０の圧縮部５７は、ＥＶＦ表示ユニット１００等に送出する表示用画像データの圧縮処理を行うだけでなく、メモリカード９に対して記録する記録用画像データの圧縮処理を行うようにも構成されているため、それぞれに専用の圧縮部を設ける場合と比較すれば内部構成のコンパクト化を図ることが可能になる。また、ＥＶＦ表示ユニット１００等において伸長処理を行うことができるので、メモリカード９に記録された画像を再生表示する際には、全体制御部５０がメモリカード９から画像データを取得してそのままＥＶＦ表示ユニット１００に送出することも可能である。
【０１０２】
＜２．第２の実施の形態＞
次に、本発明にかかる第２の実施の形態について説明する。本実施形態のデジタルカメラ１の構成及び内部構成は、図１乃至図５に示すものと同様である。また、本実施形態のデジタルカメラ１は、第１の実施の形態のデジタルカメラ１とは圧縮処理及び伸長処理が相違する。このため以下では、第１の実施の形態との相違点を中心に説明する。
【０１０３】
第１の実施の形態においては、圧縮部５７においていわゆるＪＰＥＧ方式による圧縮処理が施され、ＥＶＦ表示ユニット１００等の伸長部１１０ではその逆変換が行われる場合を例示した。ＪＰＥＧ方式による圧縮では、単なる間引き処理等と比較すると画質の劣化は少ないが、圧縮率を上げればそれに応じて画質劣化は生じることになる。そこで、本実施形態では、完全可逆変換が可能ないわゆるＤＰＣＭ方式による圧縮処理・伸長処理を行うことで、より高画質な画像表示を可能にする例について説明する。
【０１０４】
図１２はＤＰＣＭによる圧縮処理及び伸長処理の概念を示す図であり、（ａ）は原画像における画素値を、（ｂ）は圧縮画像における画素値を示している。
【０１０５】
本実施形態の圧縮部５７では、図１２に示すように、ＣＣＤ４１から得られる画像データから、横方向（水平方向）Ｘに沿ったライン毎に隣接画素間での画素値の差分を求めることによって圧縮画像データが生成される。例えば、図１２（ａ）においてラインＬ１の１画素目（左端の画素）の画素値と２画素目の画素値との差分を求め、圧縮画像における２画素目の画素値とする。また２画素目の画素値と３画素目の画素値との差分を求め、その値を圧縮画像における３画素目の画素値とする。以下、これを繰り返す。さらに、ラインＬ２，Ｌ３，…の全てのラインについても同様の差分演算処理を繰り返し行うことで、図１２（ｂ）に示すような圧縮画像を生成する。
【０１０６】
上記のような差分演算を行うことで、１画素当たりの信号成分を低減することができ、全体制御部５０からＥＶＦ表示ユニット１００又はＬＣＤ表示ユニット２００に対してデータ量が低減された状態の圧縮画像が送出される。
【０１０７】
また、本実施形態のＥＶＦ表示ユニット１００及びＬＣＤ表示ユニット２００では、伸長部１１０において横方向（水平方向）Ｘに沿ったライン毎に隣接画素間での加算処理を行うことによって、圧縮画像から圧縮前の画像を復元する。例えば、図１２（ｂ）に示すような圧縮画像を入力すると、ラインＬ１の１画素目（左端の画素）の画素値と２画素目の画素値との加算演算を行い、圧縮前の状態の２画素目の画素値とする。また加算演算によって求められる２画素目の画素値と、入力する３画素目の画素値との加算演算を行うことにより、圧縮前の状態の３画素目の画素値とする。以下、これを繰り返す。さらに、ラインＬ２，Ｌ３，…の全てのラインについても同様の差分演算処理を繰り返し行うことで、図１２（ａ）に示すような圧縮前の画像を復元する。
【０１０８】
図１３は本実施形態での全体制御部５０における圧縮部５７の概略構成を示す図である。図１３に示すように、圧縮部５７は差分演算部５７６とメモリ５７７とを備えて構成される。差分演算部５７６は、横方向ラインに沿って順次入力する画素値をメモリ５７７に格納するとともに、隣接画素間での差分演算を行い、圧縮画像データを出力するように構成される。
【０１０９】
図１４は本実施形態でのＥＶＦ表示ユニット１００の概略構成を示す図であり、第１の実施の形態で説明した部材と同様の構成部材については同一符号を付している。なお、ＬＣＤ表示ユニット２００についても同様の構成である。
【０１１０】
本実施形態の伸長部１１０は、加算演算部１１６とメモリ１１７とを備えて構成され、横方向（水平方向）の隣接画素間での差分演算によって生成された圧縮画像データから圧縮前の画像を復元するための伸長処理が実行される。具体的には、全体制御部５０から伝送路６０を介して入力する表示用の圧縮画像データは、加算演算部１１６によってメモリ１１７に一時的に格納される。そして隣接画素間での加算演算（つまり圧縮部５７における圧縮処理の逆変換処理）を行うことで、圧縮前の画像が完全に復元された画像が生成される。
【０１１１】
このような圧縮・伸長処理は、完全可逆変換が可能であり、ＥＶＦ２２において表示される画像の画質は、全体制御部５０において生成されるライブビュー画像の画質と同等である。
【０１１２】
このため、本実施形態のように、全体制御部５０においてＣＣＤ４１から得られる画像データに基づいて隣接画素間での画素値の差分を求めることによって圧縮画像データを生成し、ＥＶＦ表示ユニット１００等において圧縮画像データに含まれる画素値の差分から画像データを復元して画像表示を行うように構成することで、第１の実施の形態と同様の作用効果を得ることができるとともに、さらに高画質な画像表示を行うことが可能になる。
【０１１３】
また、圧縮部５７及び伸長部１１０の内部構成を比較しても明らかなように、本実施形態の場合には圧縮部５７及び伸長部１１０の構成が簡略化されるので、効率的な処理が可能になるとともに、各ユニットのコンパクト化を図ることができる。
【０１１４】
なお、上記説明においては、横方向（水平方向）に隣接する２画素間での画素値の差分を演算することによって圧縮処理を行う場合を例示したが、縦方向（垂直方向）に関する隣接画素間で差分値を求めることにより、圧縮処理を行うよういに構成してもよい。
【０１１５】
＜３．変形例＞
以上、本発明の実施の形態について説明してきたが、この発明は上記実施の形態にて説明した内容のものに限定されるものではなく様々な変形が可能である。
【０１１６】
例えば、上記説明においては、ＥＶＦ２２とＬＣＤ２３との双方がＶＧＡサイズの表示画素数を有している場合を例示したが、ＥＶＦ２２とＬＣＤ２３との表示解像度は異なっていてもよい。この場合において、ＥＶＦ２２がＶＧＡサイズの表示画素数を有しており、ＬＣＤ２３がＱＶＧＡサイズの表示画素数を有している場合、例えばＥＶＦ２２にて画像表示を行う際には全体制御部５０から圧縮画像データを送出し、ＬＣＤ２３によって画像表示を行う際には全体制御部５０から圧縮しない画像データを送出するようにしてもよい。ＬＣＤ２３がＱＶＧＡサイズであれば、表示用画像データのデータ量はそれほど多くはならないと考えられるからである。また、上記の場合において、ＬＣＤ２３に対しても圧縮画像データを送出するように構成し、ＬＣＤ２３に表示する際のフレームレートを上げるようにしてもよい。
【０１１７】
また、ライブビュー画像生成部５５３の解像度変換部５５３ａにおいて、画像の横方向（水平方向）のみに関して、ＥＶＦ２２又はＬＣＤ２３の表示画素数よりも少ない画素数の小さいライブビュー画像を生成し、全体制御部５０はそのライブビュー画像に対して圧縮処理を施して転送するように構成してもよい。この場合、ＥＶＦ表示ユニット１００等において横方向に関する補間処理が行われて画像表示が行われる。同様に、画像の縦方向（垂直方向）のみに関してＥＶＦ２２又はＬＣＤ２３の表示画素数よりも少ない画素数の小さいライブビュー画像を生成し、全体制御部５０がそのライブビュー画像に対して圧縮処理を施してデータ転送するように構成してもよい。
【０１１８】
また、上記説明においては、自動解像度表示が選択されている場合、ユーザが操作部材１０に対する操作を行っていない撮影待機状態では、ＥＶＦ２２又はＬＣＤ２３に対して低解像度でライブビュー表示を行い、ユーザがシャッタボタン１１を操作して、Ｓ１状態に変化させたことに応答してＥＶＦ２２又はＬＣＤ２３に対する高解像度のライブビュー表示を行う場合を例示した。しかし、これに限定されるものではなく、ＡＦモードのＡＦ制御が開始された後、ピントがほぼ合った状態（合焦状態に近い状態）若しくはピントが完全に合った状態（合焦状態）で、高解像度のライブビュー表示に切り替えるようにしてもよい。このような表示制御を行えば、ユーザはピントが合ったことを容易かつ明確に把握することができ、デジタルカメラ１の操作性を向上させることができる。
【０１１９】
また、上記説明においては、デジタルカメラ１において全体制御部５０からＥＶＦ表示ユニット１００等に対して表示用の画像を送出する際に、常に圧縮処理を施して圧縮転送表示を行う場合を例示したが、全体制御部５０からＥＶＦ表示ユニット１００等に対する画像転送モードとして、圧縮転送表示モードと非圧縮転送表示モードとを選択可能なように構成し、圧縮転送表示モードが選択設定されている場合に、上述したような圧縮転送表示処理を行うようにしてもよい。この場合、ユーザはメニューボタン１８と十字キー１９とを操作することで、圧縮転送表示モード及び非圧縮転送表示モードのいずれか一方を予めデジタルカメラ１に設定しておくことになる。
【０１２０】
また、上記説明においては、ＣＣＤ４１からドラフトモードで画像を読み出し、縦２４０本のサイズを有する画像を取得する場合（すなわち、ＣＣＤ４１から得られる画像の解像度が表示手段の縦解像度を下回る場合）を例示したが、これに限定されるものでもない。例えば、ＣＣＤ４１からの画像読み出しをＶＧＡサイズ（横６４０×縦４８０）以上の解像度で行うことによって高解像度の画像を取得し、画像処理部５５及び表示ユニット１００，２００ではＶＧＡサイズへの補間処理を行わず、そのままの画像サイズで或いは間引き処理を行った画像サイズで表示用画像を生成するように構成してもよい。
【０１２１】
また、上記説明においては、撮像装置の一形態としてデジタルカメラ１を例示したが、本発明の撮像装置はデジタルカメラに限定されるものではなく、例えば撮像機能付き携帯電話機等のような撮像装置であってもよい。
【０１２２】
さらに、上記実施形態で、電気的回路によって実現されるとした機能の全部又は一部は、ＣＰＵがプログラムに従って演算処理を行うことにより実現されてもよい。
【０１２３】
なお、上述した内容には以下の発明概念が含まれる。
【０１２４】
（１）　請求項１又は２に記載の撮像装置において、前記データ処理手段は、前記撮像素子から得られる前記画像データから隣接画素間での画素値の差分を求めることによって圧縮画像データを生成し、前記表示手段は、前記画素値の差分から前記画像データを復元して画像表示を行うことを特徴とする撮像装置。
【０１２５】
これにより、消費電力量の増加や発熱量を抑えつつ、さらに高画質な画像を表示することができる。また、効率的な処理や撮像装置のコンパクト化を実現することもできる。
【０１２６】
（２）　請求項１乃至５のいずれかに記載の撮像装置において、前記撮像素子から得られる前記画像データを記録する記録手段をさらに備え、前記データ処理手段において圧縮処理を施す圧縮手段は、前記記録手段に対して記録する記録用画像データの圧縮処理も行うように構成されることを特徴とする撮像装置。
【０１２７】
これにより、撮像装置の構成が簡略化され、コンパクト化を図ることが可能になる。また、表示手段において伸長処理を行うことができるので、記録手段に記録された画像を再生表示する際には、データ処理手段が伸長処理を行う必要はなく、記録手段に記録された画像をそのまま表示手段に送出することも可能である。
【０１２８】
（３）　請求項５に記載の撮像装置において、前記解像度変換手段は、合焦動作を行う場合に、前記撮像素子から得られる前記画像データの解像度を高解像度に変化させ、合焦動作を行わない場合に、前記撮像素子から得られる前記画像データの解像度を低解像度に変化させることを特徴とする撮像装置。
【０１２９】
これにより、ユーザが高解像度の画像を視認する必要がある場合には高解像度の画像が表示され、その必要性が低い場合には低解像度の画像を表示することができる。この結果、ユーザが高解像度の画像を視認する必要性が低い場合には、消費電力量の増加や発熱量を良好に抑えつつ、画像表示を行うことが可能になる。
【０１３０】
（４）　被写体を撮影して得られる画像を表示可能な撮像装置に対してインストール可能なプログラムであって、前記撮像装置に内蔵されるマイクロコンピュータによって実行されることにより、前記撮像装置を、請求項１乃至５のいずれか一つ又は上記（１）乃至（３）のいずれか一つに記載の撮像装置として機能させることを特徴とするプログラム。
【０１３１】
これにより、消費電力量の増加や発熱量を抑えつつ、高画質な画像表示を行うことのできる撮像装置を実現することができる。
【０１３２】
【発明の効果】
以上説明したように、請求項１に記載の発明によれば、データ処理手段が撮像素子から得られる画像データに対して圧縮処理を施して圧縮画像データを出力するように構成され、表示手段がデータ処理手段から入力する圧縮画像データに対して伸長処理を施して画像表示を行うように構成されるため、画像の画質低下を抑制しつつ、データ処理手段と表示手段との間で伝送されるデータ量を低減することができる。この結果、撮像装置において、消費電力量の増加や発熱量を抑えつつ、高画質な画像表示を行うことが可能になる。
【０１３３】
請求項２に記載の発明によれば、データ処理手段と表示手段とが別ユニットとして構成され、データ処理手段は、表示手段と電気的に接続される伝送手段を介して圧縮画像データを出力するので、波形の折り返しひずみ等の問題が発生する可能性を低減しつつ、画像データの出力が行われることになる。また、データ処理手段及び表示手段の配置に関する自由度が増すことになる。
【０１３４】
請求項３に記載の発明によれば、撮像素子は、縦方向及び横方向に複数の画素が配列され、表示手段に表示させるための表示用画像データを生成する際には、縦方向に画素間引きを行いつつ表示用画像データを生成するように構成され、データ処理手段は、表示用画像データにおける横方向の画素配列に関して圧縮処理を施すように構成されるので、圧縮処理は撮像素子からの表示用画像データの生成動作に連動して行うことができ、より効率的な圧縮処理が可能になる。
【０１３５】
請求項４に記載の発明によれば、表示手段が、面順次表示方式によってカラー画像の表示を行うように構成されるので、表示用の画像のデータ量は特に多くなるが、画像の画質低下を抑制しつつ、データ処理手段と表示手段との間で伝送されるデータ量を低減することができるため、消費電力量の増加や発熱量を抑えつつ、高画質な画像表示を行うことが可能である。
【０１３６】
請求項５に記載の発明によれば、表示手段が、データ処理手段から入力する画像データの解像度が表示解像度と異なる解像度である場合、画像データの解像度を表示解像度に適合させて画像表示を行うように構成されるため、データ処理手段は表示解像度よりも解像度を低下させて画像データを送出することができ、データ処理手段と表示手段との間で伝送されるデータ量をさらに低減することが可能である。この結果、消費電力量の増加や発熱量をさらに抑えることができる。
【図面の簡単な説明】
【図１】デジタルカメラの要部構成を示す正面図である。
【図２】デジタルカメラの要部構成を示す上面図である。
【図３】デジタルカメラの要部構成を示す背面図である。
【図４】デジタルカメラの内部構成を機能ブロックとして示す図である。
【図５】画像処理部で実現される機能をそれぞれ機能ブロックとして示す図である。
【図６】第１の実施の形態における圧縮部の内部機能を示すブロック図である。
【図７】第１の実施の形態におけるＥＶＦ表示ユニットの構成を示すブロック図である。
【図８】自動解像度表示が選択されている場合の撮影モードにおける表示動作を示すフローチャートである。
【図９】低解像度でライブビュー表示を行う場合の内部動作を模式的に示す図である。
【図１０】高解像度でライブビュー表示を行う場合の第１の内部動作を模式的に示す図である。
【図１１】高解像度でライブビュー表示を行う場合の第２の内部動作を模式的に示す図である。
【図１２】第２の実施の形態における圧縮処理及び伸長処理の概念を示す図である。
【図１３】第２の実施の形態における圧縮部の概略構成を示す図である。
【図１４】第２の実施の形態におけるＥＶＦ表示ユニットの概略構成を示す図である。
【符号の説明】
１　デジタルカメラ（撮像装置）
２２　ＥＶＦ（電子ビューファインダ）
２３　ＬＣＤ（液晶ディスプレイ）
４１　ＣＣＤ（撮像素子）
５０　全体制御部（データ処理手段）
５５　画像処理部
５７　圧縮部
６０　伝送路
１００　ＥＶＦ表示ユニット（表示手段）
１１０　伸長部
１２０　補間処理部
１３０　ＲＧＢ変換部
１４０　セレクタ
２００　ＬＣＤ表示ユニット（表示手段）
５５３　ライブビュー画像生成部
５５３ａ　解像度変換部（解像度変換手段）
【図１】
2004104222.tif 000004
【図２】
2004104222.tif 000005
【図３】
2004104222.tif 000006
【図４】
2004104222.tif 000007
【図５】
2004104222.tif 000008
【図６】
2004104222.tif 000009
【図７】
2004104222.tif 000010
【図８】
2004104222.tif 000011
【図９】
2004104222.tif 000012
【図１０】
2004104222.tif 000013
【図１１】
2004104222.tif 000014
【図１２】
2004104222.tif 000015
【図１３】
2004104222.tif 000016
【図１４】
2004104222.tif 000017